(57)【要約】  本発明は、高密度マルチレイヤ光ディスクと、それに対する光パワー調節方法に係り、本発明による高密度マルチレイヤ光ディスクは複数の記録層それぞれに対する光パワー調節関連情報を含んでいる。そして、本発明による光パワー調節方法は、装置内に装着されたマルチレイヤ光ディスクから、複数の記録層に対する光パワー調節関連情報をすべて読み出して他の格納手段に格納し、任意の一記録層に対して再生または記録途中に他の記録層にジャンプする時、光ディスクにアクセスせず格納手段に格納された光パワー調節関連情報を参照して、他の記録層に適する光パワーを速かに設定して再生または記録動作を続ける。
2005529442.tif 000002
【特許請求の範囲】
【請求項１】
複数の記録層が形成された高密度マルチレイヤ光ディスクにおいて、前記複数の記録層それぞれに対する光パワー調節関連情報を含んでいることを特徴とする高密度マルチレイヤ光ディスク。
【請求項２】
前記複数の記録層それぞれに対する光パワー調節関連情報は、各記録層に同一に記録されていることを特徴とする請求項１に記載の高密度マルチレイヤ光ディスク。
【請求項３】
前記光パワー調節関連情報は、光ディスクに割り当てられているＰＩＣデータ領域内のディスク情報領域に含まれていることを特徴とする請求項１に記載の高密度マルチレイヤ光ディスク。
【請求項４】
前記ディスク情報は、すべての記録層に対する再生光パワー調節関連データと、記録光パワー調節関連データと、ディスク構造情報とを含んでいることを特徴とする請求項３に記載の高密度マルチレイヤ光ディスク。
【請求項５】
前記再生光パワー調節関連データは、最大直流再生パワーデータと最大高周波変調再生パワーデータを含むことを特徴とする請求項４に記載の高密度マルチレイヤ光ディスク。
【請求項６】
前記記録光パワー調節関連データは、名目記録速度時の記録パワーデータと、最高記録速度時の記録パワーデータと、最低記録速度時の記録パワーデータとを含むことを特徴とする請求項４に記載の高密度マルチレイヤ光ディスク。
【請求項７】
前記ディスク構造情報は、光ディスクに形成された記録層の個数を示す情報であることを特徴とする請求項４に記載の高密度マルチレイヤ光ディスク。
【請求項８】
前記複数の記録層それぞれに対する光パワー調節関連情報は、各記録層に分かれて記録され、各記録層に記録された光パワー調節関連情報は対応する記録層に対する情報のみを含んでいることを特徴とする請求項１に記載の高密度マルチレイヤ光ディスク。
【請求項９】
前記複数の記録層それぞれに対する光パワー調節関連情報は、ウォーブルトラックにエンコーディングされていることを特徴とする請求項１に記載の高密度マルチレイヤ光ディスク。
【請求項１０】
前記複数の記録層それぞれに対する光パワー調節関連情報は、一つの記録層のリードイン領域と、他の記録層のリードアウト領域とに記録されていることを特徴とする請求項１に記載の高密度マルチレイヤ光ディスク。
【請求項１１】
装置内に装着されたマルチレイヤ光ディスクから、複数の記録層に対する光パワー調節関連情報をすべて読み出して格納する１段階と、
再生または記録要求された任意の一記録層に対する光パワー調節情報を、前記格納された情報を検索して確認する２段階と、
前記確認された光パワー調節関連情報を参照して、当該記録層に適する光パワーを設定する３段階とを含むことを特徴とする光パワー調節方法。
【請求項１２】
前記１段階は、任意の一記録層に割り当てられている特定領域からすべての記録層に対する光パワー調節関連情報を読み出して格納することを特徴とする請求項１１に記載の光パワー調節方法。
【請求項１３】
前記１段階は、前記複数の記録層を探索してすべての記録層に対する光パワー調節関連情報を読み出して格納することを特徴とする請求項１１に記載の光パワー調節方法。
【請求項１４】
前記光パワー設定後データを記録または再生している途中、一つの記録層から他の記録層へジャンプする場合、そのジャンプされた記録層に対する光パワー調節関連情報を、前記格納された情報で確認して、その確認された情報に基づいてジャンプされた記録層に適する光パワーを設定する段階をさらに含むことを特徴とする請求項１１に記載の光パワー調節方法。
【請求項１５】
装置内に装着されたマルチレイヤ光ディスクから、複数の記録層に対する光パワー調節関連情報をすべて読み出して他の格納手段に格納する１段階と、
任意の一記録層に対して再生または記録途中に他の記録層にジャンプする時、前記光ディスクにアクセスせずに前記格納手段に格納された光パワー調節関連情報を参照して、前記他の記録層に適する光パワーを設定して再生または記録動作を続ける２段階とを含むことを特徴とする光パワー調節方法。
【発明の詳細な説明】
【技術分野】
【０００１】
本発明は、複数の記録層が形成された高密度マルチレイヤ光ディスクと、それに対する光パワー調節方法に関する。
【背景技術】
【０００２】
最近、高画質のビデオデータと高音質のオーディオデータを長時間記録することができる新しい高密度再記録可能光ディスクである'Ｂｌｕ−ｒａｙ  Ｄｉｓｃ  Ｒｅｗｒｉｔａｂｌｅ'（以下、'ＢＤ−ＲＥ'とする。）に対する規格化作業が急速に進展している。ＢＤ−ＲＥの規格が確定されれば関連製品が開発され市場に発表されて商用化されるであろう。
【０００３】
単一層（ｓｉｎｇｌｅ  ｌａｙｅｒ）のＢＤ−ＲＥは、図１に示したように、データ記録層は、光ピックアップの対物レンズ１１に対向する方向に表面から０．１ｍｍ離隔された位置に形成されている。
【０００４】
単一層のＢＤ−ＲＥの記録層に記録されたデータを読み出して再生したり、または記録層に記録するための光ディスク装置では、光ピックアップ内に含まれたレーザーダイオード（ＬＤ）１３の光パワーを記録または再生動作に適するように調節するが、これに対して詳細に説明する。
【０００５】
図２は、一般的な単一層のＢＤ−ＲＥのリードイン（Ｌｅａｄ−Ｉｎ）領域に記録されるディスク情報をテーブル形態で示したものである。リードイン領域は、プリレコードされた領域と再記録可能な領域に区分され、プリレコードされた領域には、ＰＩＣ（Ｐｅｒｍａｎｅｎｔ  Ｉｎｆｏｒｍａｔｉｏｎ  ＆  Ｃｏｎｔｒｏｌ）データゾーンが含まれている。
【０００６】
ＰＩＣデータゾーンには、図２に示したように、ディスク情報ＩＤ（Ｄｉｓｃ  Ｉｎｆｏｒｍａｔｉｏｎ  ＩＤ）とディスク構造（Ｄｉｓｃ  Ｓｔｒｕｃｔｕｒｅ）情報とを含み、さらに再生光パワー調節のための、最大直流再生パワー（Ｍａｘｉｍｕｍ  ｄｃ  ｒｅａｄ  ｐｏｗｅｒ）情報及び最大高周波変調再生パワー（Ｍａｘｉｍｕｍ  ＨＦ  ｍｏｄｕｌａｔｅｄ  ｒｅａｄ  ｐｏｗｅｒ）情報を含む。
【０００７】
また、ＰＩＣデータゾーンには、記録光パワー調節のための、名目記録速度時の記録光設定（Ｗｒｉｔｅ  ｐｏｗｅｒ  ｓｅｔｔｉｎｇ  ａｔ  Ｎｏｍｉｎａｌ  Ｒｅｃｏｒｄｉｎｇ  ｖｅｌｏｃｉｔｙ）情報と、最高記録速度時の記録光設定（Ｗｒｉｔｅ  ｐｏｗｅｒ  ｓｅｔｔｉｎｇ  ａｔ  Ｍａｘｉｍｕｍ  Ｒｅｃｏｒｄｉｎｇ  ｖｅｌｏｃｉｔｙ）情報と、最低記録速度時の記録光設定（Ｗｒｉｔｅ  ｐｏｗｅｒ  ｓｅｔｔｉｎｇ  ａｔ  Ｍｉｎｉｍｕｍ  Ｒｅｃｏｒｄｉｎｇ  ｖｅｌｏｃｉｔｙ）情報とが含まれている。
【０００８】
図２のような情報を有するＢＤ−ＲＥを装着した光ディスク装置は、ＰＩＣデータ領域に記録されたディスク情報のうち、先に説明された再生または記録に関連した光パワー調節データを参照して、現在の再生または記録状態に合う光パワーが出力されるように、光ピックアップ内のレーザーダイオードへの印加電流を設定した後、装着されたＢＤ−ＲＥの単一記録層に記録されたＡ／Ｖデータのようなユーザーデータを読み出して再生したり、または入力されるデータを記録する一連のデータ再生または記録動作を実行する。
【０００９】
一方、最近では単一層のＢＤ−ＲＥに比べて約２倍の容量を有する、２層のＢＤ−ＲＥが提案されている。２層のＢＤ−ＲＥは、図３に示したように、所定間隔ｄ２で相互に離隔された第１記録層（Ｌａｙｅｒ  １）と第２記録層（Ｌａｙｅｒ  ２）を有しており、これらはディスクの中心平面から光ピックアップの対物レンズの方向に片寄って形成されている。
【００１０】
このら両記録層にデータを記録したりこれらからデータを再生する場合に、図３のレーザーダイオード１３の光パワーをそれぞれの層に適切に調節しなければならないが、光パワーに対する情報を単一層のディスクの場合のように一つの層に対してだけ記録しておく場合には、両記録層に対して再生または記録の光パワーを同一の条件で設定するしかない。そのため一方の記録層に正常に記録したり、そこから再生するのが困難になる。例えば、両記録層に対して再生光パワーを同一に設定した状態で、第２記録層に記録されたデータを読む場合、その第２記録層から反射される光の一部は、その下に形成された第１記録層により再反射させられたり、第２記録層に到達しなければならない光が第１記録層により一部反射させられるため、光損失が発生する。そのため、設定された再生光では第１記録層からはデータが正常に読み取ることができるが、第２記録層からは正常にデータ読み読み取ることができないという問題が発生する。
【００１１】
したがって、各記録層に対する光パワー情報を別に記録しておく必要がある。すなわち、第１記録層に対する光パワー関連データを、第１記録層のリードイン領域内に記録して、第２記録層に対するものは、第２記録層のリードアウト領域内に別に記録することになる。しかし、記録または再生途中、第１記録層から第２記録層へジャンプする時は、その都度第２記録層のリードアウト領域内に記録された再生または記録光パワー関連データを読み出して確認しなければならないため、記録または再生動作が一時中断されることになる。これは再生または記録動作に危険要素として作用する。
【発明の開示】
【発明が解決しようとする課題】
【００１２】
本発明は前記のような問題を解決するために創作されたものであって、ＢＤ−ＲＥ  Ｄｕａｌ  ｌａｙｅｒ等のような高密度マルチレイヤ光ディスクにそれぞれ形成された複数の記録層に対する最適の光パワー調節動作が、再生及び記録動作によって速かに可変調節するようにすると共に、各記録層間のジャンプ時にも、速かに可変調節することができるようにする高密度マルチレイヤ光ディスクと、それによる光パワー調節方法を提供することが目的である。
【課題を解決するための手段】
【００１３】
前記のような目的を達成するための本発明による高密度マルチレイヤ光ディスクは、複数の記録層それぞれに対する光パワー調節関連情報を含むことを特徴とする。
【００１４】
また、本発明による光パワー調節方法は、装置内に装着されたマルチレイヤ光ディスクから、複数の記録層に対する光パワー調節関連情報をすべて読み出して格納する１段階と、再生または記録要求された任意の一記録層に対する光パワー調節情報を、その格納された情報で検索して確認する２段階と、その確認された光パワー調節関連情報を参照して、対応する記録層に適した光パワーを設定する３段階とを含むことを特徴としている。
【００１５】
本発明による他の光パワー調節方法は、装置内に装着されたマルチレイヤ光ディスクから、複数の記録層に対する光パワー調節関連情報をすべて読み出して他の格納手段に格納する１段階と、任意の一記録層に対して再生または記録途中で他の記録層にジャンプする時、光ディスクをアクセスせずに格納手段に格納された光パワー調節関連情報を参照して、他の記録層に適切な光パワーを設定して再生または記録動作を続ける２段階とを含むことを特徴とする。
【００１６】
前記のような特徴を有する本発明による高密度マルチレイヤ光ディスクと、それによる光パワー調節方法は、再生または記録動作中に記録層間のジャンプがある場合にも光パワー調節動作を速かにできるので、記録または再生動作が中断されないようにすることができる。
【発明を実施するための最良の形態】
【００１７】
以下、本発明による高密度マルチレイヤ光ディスクと、それによる光パワー調節方法に対する望ましい実施形態を添付した図面を参照しながら詳細に説明する。
【００１８】
本発明による高密度マルチレイヤ光ディスク、例えば２層のＢＤ−ＲＥは、図４に示したように、第１記録層にリードイン（Ｌｅａｄ−Ｉｎ）領域と第２記録層にリードアウト（Ｌｅａｄ−Ｏｕｔ）領域が割り当てられており、第１記録層と第２記録層の外周部分には、アウター（Ｏｕｔｅｒ）領域がそれぞれ割り当てられている。
【００１９】
第１記録層のリードイン領域と、第２記録層のリードアウト領域には、それぞれＰＩＣデータゾーンが含まれており、それぞれのＰＩＣデータゾーンには、第１記録層と第２記録層に対する再生及び記録光パワー調節のためのデータが記録されている。
【００２０】
すなわち、第１記録層のリードイン領域と第２記録層のリードアウト領域にそれぞれ割り当てられているＰＩＣデータゾーンには、相互に同一のディスク情報が記録されている。このディスク情報には、図５に示したように、ディスク情報ＩＤとディスク構造情報が含まれている。ディスク構造情報は、デュアルレイヤ光ディスクであるのでそれを識別できる情報が記録されている。この識別情報は記録層の数を示す値である。例えば、‘００００  ００１１’が３層のディスク、'００００  ００１０’が２層のディスク、'００００  ０００１’が単一層のディスクを識別する値として記録される。
【００２１】
また、ディスク情報は、第１記録層の再生光パワー調節のための最大直流再生パワー（Ｍａｘｉｍｕｍ  ｄｃ  ｒｅａｄ  ｐｏｗｅｒ  ｆｏｒ  Ｌａｙｅｒ  １）情報と、第２記録層の再生光パワー調節のための最大直流再生パワー（Ｍａｘｉｍｕｍ  ｄｃ  ｒｅａｄ  ｐｏｗｅｒ  ｆｏｒ  Ｌａｙｅｒ  ２）情報と、第１記録層の最大高周波変調再生パワー（Ｍａｘｉｍｕｍ  ＨＦ  ｍｏｄｕｌａｔｅｄ  ｒｅａｄ  ｐｏｗｅｒ  ｆｏｒ  Ｌａｙｅｒ  １）情報と、第２記録層の最大高周波変調再生パワー（Ｍａｘｉｍｕｍ  ＨＦ  ｍｏｄｕｌａｔｅｄ  ｒｅａｄ  ｐｏｗｅｒ  ｆｏｒ  Ｌａｙｅｒ  ２）情報とを含んでいる。
【００２２】
さらに、第１記録層の記録光パワー調節のための名目記録速度時の記録光設定（Ｗｒｉｔｅ  ｐｏｗｅｒ  ｓｅｔｔｉｎｇｓ  ａｔ  Ｎｏｍｉｎａｌ  Ｒｅｃｏｒｄｉｎｇ  ｖｅｌｏｃｉｔｙ  ｆｏｒ  Ｌａｙｅｒ  １）情報と、第２記録層の光パワー調節のための名目記録速度時の記録光設定（Ｗｒｉｔｅ  ｐｏｗｅｒ  ｓｅｔｔｉｎｇｓ  ａｔ  Ｎｏｍｉｎａｌ  Ｒｅｃｏｒｄｉｎｇ  ｖｅｌｏｃｉｔｙ  ｆｏｒ  Ｌａｙｅｒ  ２）情報と、第１記録層の最高記録速度時の記録光設定（Ｗｒｉｔｅ  ｐｏｗｅｒ  ｓｅｔｔｉｎｇｓ  ａｔ  Ｍａｘｉｍｕｍ  Ｒｅｃｏｒｄｉｎｇ  ｖｅｌｏｃｉｔｙ  ｆｏｒ  Ｌａｙｅｒ  １）情報と、第２記録層の最高記録速度時の記録光設定（Ｗｒｉｔｅ  ｐｏｗｅｒ  ｓｅｔｔｉｎｇｓ  ａｔ  Ｍａｘｉｍｕｍ  Ｒｅｃｏｒｄｉｎｇ  ｖｅｌｏｃｉｔｙ  ｆｏｒ  Ｌａｙｅｒ  ２）情報と、第１記録層の最低記録速度時の記録光設定（Ｗｒｉｔｅ  ｐｏｗｅｒ  ｓｅｔｔｉｎｇｓ  ａｔ  Ｍｉｎｉｍｕｍ  Ｒｅｃｏｒｄｉｎｇ  ｖｅｌｏｃｉｔｙ  ｆｏｒ  Ｌａｙｅｒ  １）情報と、第２記録層の最低記録速度時の記録光設定（Ｗｒｉｔｅ  ｐｏｗｅｒ  ｓｅｔｔｉｎｇｓ  ａｔ  Ｍｉｎｉｍｕｍ  Ｒｅｃｏｒｄｉｎｇ  ｖｅｌｏｃｉｔｙ  ｆｏｒ  Ｌａｙｅｒ  ２）情報とを含んでいる。
【００２３】
もし、本発明による高密度マルチレイヤ光ディスクが、３層光ディスクである場合には、ディスク情報には、第１記録層、第２記録層、第３記録層にそれぞれ対応する光パワー関連情報を含む。もし、Ｎ層光ディスクである場合には、Ｎ個の記録層にそれぞれ対応する光パワー関連情報を含む。
【００２４】
図６は、本発明による光パワー調節方法が適用される光ディスク装置に対する構成を概略的に示したものである。これは複数層のディスクに記録／再生できるビデオディスクレコーダ（ＶＤＲ）である。図６の光ディスク装置は、２層のＢＤ−ＲＥ高密度光ディスク２００に記録された信号を読み出したり、または外部から入力信号処理されたデータストリームを記録するための光ピックアップ５０と、光ピックアップ５０から読み出される信号を再生処理したり、または外部から入力されるデータストリームを記録に適切なデータストリームに変換処理するＶＤＲシステム５１と、外部から入力されるアナログ信号をエンコーディングして、ＶＤＲシステムに印加するエンコーダ５２を含んでいる。
【００２５】
図７は図６のディスク装置に本発明による２層のディスクが装着された場合に信号を記録または再生する過程を示したものである。
【００２６】
２層のＢＤ−ＲＥ  ２００が挿入されると、ＶＤＲシステム５１は一連のディスクのローディング動作を実施する（Ｓ１０）。
【００２７】
そして、光ピックアップ５０を移動させて、２層ＢＤ−ＲＥ  ２００の第１記録層に割り当てられたリードイン領域にアクセスする（Ｓ１１）。リードイン領域に記録されたディスク情報や欠陥管理情報（ＤＭＡ：Ｄｅｆｅｃｔ  Ｍａｎａｇｅｍｅｎｔ  Ａｄｄｒｅｓｓ）などを読み出して、装置内に具備されたメモリ（図示せず）に格納する再生／記録の前段階を実施する（Ｓ１２）。この時、両記録層に対する光パワー関連情報が一度に読み取られる。
【００２８】
この後、ユーザーから、装着されたＢＤ−ＲＥ  ２００にデータを記録したりまたは再生することを要求するデータ記録または再生命令が入力されると（Ｓ１３）、ＶＤＲシステム５１は、その命令がどの記録層に対するものであるかを先に確認する。
【００２９】
再生要求されたデータが、第１記録層にある場合または記録要求時に記録する空間が第１記録層である場合（Ｓ１４）、ＶＤＲシステム５１は、メモリに格納されたディスク情報を検索して、そのディスク情報に含まれていた第１記録層に対する光パワー調節関連データを読み出す（Ｓ１５）。
【００３０】
そして、読み出された第１記録層に対する光パワー調節関連情報を参照して、光ピックアップ５０に含まれているレーザーダイオード（ＬＤ）の記録または再生光パワーを、第１記録層に適するように調節する動作を実施する（Ｓ１６）。
【００３１】
前記の光パワー調節が完了すると、ユーザーが要求した第１記録層に対するデータ記録または再生動作を実行する（Ｓ１７）。
【００３２】
もし、ユーザーが要求した記録または再生動作が第２記録層に対してである場合には、メモリに格納されたディスク情報を検索して第２記録層に対する光パワー調節関連情報を読み出して（Ｓ１８）、その情報を参照して第２記録層に適するように光パワーを調節する動作を実施して（Ｓ１９）、光パワー調節が完了すると第２記録層に対するデータ記録または再生動作を実行する（Ｓ２０）。
【００３３】
前記のような過程を介して特定の記録層にデータを記録または再生している途中、ユーザーの要求などによって、他の記録層に、例えば第１記録層から第２記録層へジャンプする場合（Ｓ２１）、ＶＤＲシステム５１は、メモリに格納されていた第２記録層に対する光パワー調節関連情報を参照して、レーザーダイオードの光パワーを、第２記録層に適するように瞬間的に調節して（Ｓ２２）、ジャンプされた記録層での記録または再生動作を実行する（Ｓ２３）。
【００３４】
したがって、記録または再生途中、記録層間のジャンプ時にも、データ記録または再生動作が停止しないで連続的に実行される。
【００３５】
図８は、本発明の他の実施形態による光パワー調節方法に対する動作フローチャートである。この実施形態は、装着された２層のＢＤ−ＲＥが、第１記録層に対する光パワー調節関連データは第１記録層のリードイン領域にだけあり、第２記録層に対する光パワー調節関連データは第２記録層のリードアウト領域にだけある場合に対する実施形態である。
【００３６】
この実施形態では、２層のＢＤ−ＲＥが挿入されると、ＶＤＲシステム５１は、前述したように、一連の光ディスクのローディング動作を遂行する（Ｓ３０）。
【００３７】
そして、光ピックアップ５０を移動させて、２層ＢＤ−ＲＥの第１記録層のリードイン領域をアクセスし、その後再び第２記録層のリードアウト領域に焦点を合わせてアクセスして（Ｓ３１）、第１記録層のリードイン領域と第２記録層のリードアウト領域にそれぞれ記録されたディスク情報や欠陥管理情報（ＤＭＡ）などを読み出して、装置内に具備されたメモリ（図示せず）に格納する（Ｓ３２）。各記録層に記録されたディスク情報を読み取ってメモリに格納しておく動作はユーザーの記録／再生要求がある前に行われる。
【００３８】
この後、ユーザーから、装着されたディスクにデータを記録したりまたは読み出して再生することを要求する命令を受け取ると（Ｓ３３）、ＶＤＲシステム５１は、その命令がどの記録層に対するものであるかを先に確認する。
【００３９】
再生要求されたデータが、第１記録層にある場合または記録要求時に記録する空間が第１記録層である場合（Ｓ３４）、ＶＤＲシステム５１は、メモリに格納されたディスク情報を検索して、そのディスク情報に含まれている第１記録層に対する光パワー調節関連データを読み出す（Ｓ３５）。
【００４０】
そして、読み出された第１記録層に対する光パワー調節関連データを参照して、光ピックアップ５０に含まれているレーザーダイオードの記録または再生光パワーを、第１記録層に適するように調節する動作を実施する（Ｓ３６）。
【００４１】
前記の光パワー調節が完了すると、ユーザーが要求した第１記録層に対するデータ記録または再生動作を実行する（Ｓ３７）。
【００４２】
もし、ユーザーが要求した記録または再生動作が第２記録層に対するものであった場合には、メモリに格納されたディスク情報を検索して第２記録層に対する光パワー調節関連情報を読み出して（Ｓ３８）、その情報を参照して第２記録層に適するように光パワーを調節する動作を実施して（Ｓ３９）、光パワー調節が完了すると、第２記録層に対するデータ記録または再生動作を実行する（Ｓ４０）。
【００４３】
前記のようにして特定の記録層にデータを記録または再生している途中に、ユーザーの要求などによって、他の記録層に、例えば第１記録層から第２記録層へジャンプする場合（Ｓ４１）、ＶＤＲシステム５１は、各記録層から読み出してメモリに既に格納されていた第２記録層に対する光パワー調節関連情報を参照して、レーザーダイオードの光パワーを、第２記録層に適するように瞬間的に調節して（Ｓ４２）、ジャンプされた記録層での記録または再生動作を実行する（Ｓ４３）。
【００４４】
したがって、光パワー調節関連情報が各記録層にそれぞれ分けられて記録されたマルチレイヤディスクの場合にも、記録または再生途中、記録層間のジャンプ時に、データ記録または再生動作が停止せずに連続的に実行される。
【００４５】
前述した複数層に対する光パワーの調節関連情報をリードインとリードアウト領域に割り当てられたＰＩＣデータゾーンに記録する代わりに、ウォーブルトラックにエンコーディングされたＡＤＩＰ（Ａｄｄｒｅｓｓ  Ｉｎ  Ｐｒｅｇｒｏｏｖｅ）に記録しておくこともできる。ＡＤＩＰフォーマットは次のように構成される。
【００４６】
５６名目ウォーブル長さ（ＮＷＬ：Ｎｏｍｉｎａｌ  Ｗｏｂｂｌｅ  Ｌｅｎｇｔｈ）が一つのＡＤＩＰ単位を形成する。一つのＡＤＩＰ単位は、図９Ａに示したように９つの異なった種類に区分される。そして８３個のＡＤＩＰ単位が集まって一つのＡＤＩＰワードを構成する。一つのＡＤＩＰワードは図９Ｂのように構成される。図９Ｂで見るように、一つのＡＤＩＰワードは６０ビット（ニブルｃ０〜ｃ１４）のデータを含むことができる。このデータはエラー修復のためのエンコーディングにより記録されるので、３６情報ビットを含む。
【００４７】
そして、３６情報ビットで２４ビットはＡＤＩＰアドレスに使用され、１２ビットは補助情報として使用される。したがって、一つのＡＤＩＰワードには１２ビットの補助情報を記録することができるので、Ｎ個のＡＤＩＰワードをグルーピングして必要なだけの補助情報記録空間を確保して次に、複数の記録層すべてに対する光パワー調節関連情報を記録して置く。この情報はＮ個のＡＤＩＰワード単位で繰り返して記録される。
【００４８】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００４９】
【図１】単一層ディスクの構造とこれをアクセスする光ピックアップの様子を示したものである。
【図２】再記録可能ブルーレイディスクのリードイン（Ｌｅａｄ−Ｉｎ）領域に記録されるディスク情報をテーブル形態で示したのである。
【図３】デュアルレイヤ光ディスクの構造とこれをアクセスする光ピックアップの様子を示したものである。
【図４】本発明によって高密度デュアルレイヤ光ディスクのリードイン領域とリードアウト領域に、ＰＩＣデータゾーンがそれぞれ割り当てられた状態を概念的に示したものである。
【図５】本発明によって高密度デュアルレイヤ光ディスクに割り当てられたＰＩＣデータゾーンに記録されるディスク情報をテーブル形態で示したのである。
【図６】本発明による光パワー調節方法が適用される光ディスク装置を簡略に示したものである。
【図７】本発明による光パワー調節方法の一実施形態の動作フローチャートを示したものである。
【図８】本発明による光パワー調節方法の他の実施形態に対する動作フローチャートを示したものである。
【図９】複数記録層に対する光パワー調節関連情報がエンコーディング記録されるＡＤＩＰワードの構造を示したものである。
【図１】
2005529442.tif 000003
【図２】
2005529442.tif 000004
【図３】
2005529442.tif 000005
【図４】
2005529442.tif 000006
【図５】
2005529442.tif 000007
【図６】
2005529442.tif 000008
【図７】
2005529442.tif 000009
【図８】
2005529442.tif 000010
【図９ａ】
2005529442.tif 000011
【図９ｂ】
2005529442.tif 000012
【国際調査報告】
2005529442.tif 000013